(57)【要約】【課題】タッチパネルの操作性を向上させつつ、画面の利用効率を向上させる。【解決手段】情報処理装置１００は、操作体の表示画面への近接を検出する検出部１１２と、検出部１１２により検出された操作体が表示画面に含まれる選択項目に近接したか否かを判断する判断部１１６と、操作体が選択項目に近接したと判断部１１６により判断された場合に、選択項目の選択項目内容を含む領域を、表示されていた表示領域に一時的に重ねて表示させ、前記検出部により前記操作体の表示画面への近接が検出されなくなった場合に、前記選択項目の前記選択項目内容を含む領域の表示を終了させる表示制御部１１８と、を備える。【選択図】図５
2011134272.tif 000002
【特許請求の範囲】
【請求項１】
操作体の表示画面への近接を検出する検出部と、
前記検出部により検出された前記操作体が表示画面に含まれる選択項目に近接したか否かを判断する判断部と、
前記操作体が前記選択項目に近接したと前記判断部により判断された場合に、前記選択項目の選択項目内容を含む領域を、表示されていた表示領域に一時的に重ねて表示させ、前記検出部により前記操作体の表示画面への近接が検出されなくなった場合に、前記選択項目の前記選択項目内容を含む領域の表示を終了させる表示制御部と、
を備える、情報処理装置。
【請求項２】
前記検出部により検出された前記操作体が近接した表示画面の範囲を特定する特定部を備え、
前記判断部は、
前記特定部により特定された前記範囲に前記選択項目が含まれるか否かを判断する、請求項１に記載の情報処理装置。
【請求項３】
前記検出部により前記操作体の表示画面への接触が検出された場合に、
前記表示制御部は、
表示されていた前記選択項目の前記選択項目内容を含む領域の表示を終了させる、請求項１または２のいずれかに記載の情報処理装置。
【請求項４】
前記操作体が前記選択項目に近接したと前記判断部により判断された場合に、
前記表示制御部は、
前記選択項目の選択項目内容の拡大表示を含む領域を表示させる、請求項１または２のいずれかに記載の情報処理装置。
【請求項５】
前記操作体が前記選択項目に近接したと前記判断部により判断された場合に、
前記表示制御部は、
前記選択項目の選択項目内容のプルダウン表示を含む領域を表示させる、請求項１または２のいずれかに記載の情報処理装置。
【請求項６】
前記操作体が前記選択項目に近接したと前記判断部により判断された場合に、
前記表示制御部は、
前記選択項目の変換内容を含む領域を表示させる、請求項１または２のいずれかに記載の情報処理装置。
【請求項７】
前記操作体が前記選択項目に近接したと前記判断部により判断された場合に、
前記表示制御部は、
前記選択項目の親階層または子階層の内容を含む領域を表示させる、請求項１または２のいずれかに記載の情報処理装置。
【請求項８】
操作体の表示画面への近接を検出するステップと、
前記検出された前記操作体が表示画面に含まれる選択項目に近接したか否かを判断するステップと、
前記操作体が前記選択項目に近接したと判断された場合に、前記選択項目の選択項目内容を、表示されていた表示画面に重ねて表示させるステップと、
を含む、情報処理方法。
【請求項９】
コンピュータを、
操作体の表示画面への近接を検出する検出部と、
前記検出部により検出された前記操作体が表示画面に含まれる選択項目に近接したか否かを判断する判断部と、
前記操作体が前記選択項目に近接したと前記判断部により判断された場合に、前記選択項目の選択項目内容を、表示されていた表示画面に重ねて表示させる表示制御部と、
を備える、情報処理装置として機能させる、プログラム。
【発明の詳細な説明】
【技術分野】
【０００１】
本発明は、情報処理装置、情報処理方法およびプログラムに関し、特に、操作体の表示画面への近接を検出して表示画面の表示を制御する情報処理装置、情報処理方法およびプログラムに関する。
【背景技術】
【０００２】
表示装置には、液晶ディスプレイなどの表示部の表面に静電容量方式や抵抗膜方式のタッチセンサを設けるタッチスクリーン（タッチパネル）がある。タッチスクリーンによれば、表示画面に触れることで情報処理装置の入力が可能となり、ユーザが容易に情報処理装置を扱うことができるようになる。
【０００３】
タッチパネルを用いて操作を行う場合には、表示画面に接触して表示項目を選択するため、表示されるアイコンやボタンなどを一定のサイズにする必要がある。したがって、タッチパネルにおけるオンスクリーンキーボードなどでは、キーのサイズをできる限り大きくすることが望まれる。しかし、携帯型の装置では表示画面の面積が限られているため、キーのサイズを大きくするとキー以外の情報を表示できなくなるという問題があった。
【０００４】
そこで、選択された領域の表示内容を一時的に拡大する技術が提案されている（例えば、特許文献１）。特許文献１では、選択された領域のキー表示などを拡大することにより、操作性を向上させている。
【先行技術文献】
【特許文献】
【０００５】
【特許文献１】特開２００８−２８７３２３号公報
【発明の概要】
【発明が解決しようとする課題】
【０００６】
しかし、表示されている表示内容を拡大してしまうと、周辺の要素が拡大表示に隠れてしまい、画面の利用効率が低下するという問題があった。
そこで、本発明は、上記問題に鑑みてなされたものであり、本発明の目的とするところは、タッチパネルの操作性を向上させつつ、画面の利用効率を向上させることが可能な、新規かつ改良された情報処理装置、情報処理方法およびプログラムを提供することにある。
【課題を解決するための手段】
【０００７】
上記課題を解決するために、本発明のある観点によれば、操作体の表示画面への近接を検出する検出部と、前記検出部により検出された前記操作体が表示画面に含まれる選択項目に近接したか否かを判断する判断部と、前記操作体が前記選択項目に近接したと前記判断部により判断された場合に、前記選択項目の選択項目内容を含む領域を、表示されていた表示領域に一時的に重ねて表示させ、前記検出部により前記操作体の表示画面への近接が検出されなくなった場合に、前記選択項目の前記選択項目内容を含む領域の表示を終了させる表示制御部と、を備える、情報処理装置が提供される。
【０００８】
また、前記検出部により検出された前記操作体が近接した表示画面の範囲を特定する特定部を備え、前記判断部は、前記特定部により特定された前記範囲に前記選択項目が含まれるか否かを判断してもよい。
【０００９】
また、前記検出部により前記操作体の表示画面への接触が検出された場合に、前記表示制御部は、表示されていた前記選択項目の前記選択項目内容を含む領域の表示を終了させてもよい。
【００１０】
また、前記操作体が前記選択項目に近接したと前記判断部により判断された場合に、前記表示制御部は、前記選択項目の選択項目内容の拡大表示を含む領域を表示させてもよい。
【００１１】
また、前記操作体が前記選択項目に近接したと前記判断部により判断された場合に、前記表示制御部は、前記選択項目の選択項目内容のプルダウン表示を含む領域を表示させてもよい。
【００１２】
また、前記操作体が前記選択項目に近接したと前記判断部により判断された場合に、前記表示制御部は、前記選択項目の変換内容を含む領域を表示させてもよい。
【００１３】
また、前記操作体が前記選択項目に近接したと前記判断部により判断された場合に、前記表示制御部は、前記選択項目の親階層または子階層の内容を含む領域を表示させてもよい。
【００１４】
また、上記課題を解決するために、本発明の別の観点によれば、操作体の表示画面への近接を検出するステップと、前記検出された前記操作体が表示画面に含まれる選択項目に近接したか否かを判断するステップと、前記操作体が前記選択項目に近接したと判断された場合に、前記選択項目の選択項目内容を、表示されていた表示画面に重ねて表示させるステップと、を含む、情報処理方法が提供される。
【００１５】
また、上記課題を解決するために、本発明の別の観点によれば、コンピュータを、操作体の表示画面への近接を検出する検出部と、前記検出部により検出された前記操作体が表示画面に含まれる選択項目に近接したか否かを判断する判断部と、前記操作体が前記選択項目に近接したと前記判断部により判断された場合に、前記選択項目の選択項目内容を、表示されていた表示画面に重ねて表示させる表示制御部と、を備える、情報処理装置として機能させる、プログラムが提供される。
【発明の効果】
【００１６】
以上説明したように本発明によれば、タッチパネルの操作性を向上させつつ、画面の利用効率を向上させることができる。
【図面の簡単な説明】
【００１７】
【図１】本発明の実施形態に係る表示例を説明する説明図である。
【図２】同実施形態にかかる情報処理装置のハードウェア構成を示すブロック図である。
【図３】同実施形態にかかる操作体の近接操作および近接領域について説明する説明図である。
【図４】同実施形態にかかる操作体の近接操作および近接領域について説明する説明図である。
【図５】同実施形態にかかる情報処理装置の機能構成を示すブロック図である。
【図６】同実施形態にかかる表示例を説明する説明図である。
【図７】同実施形態にかかる表示例を説明する説明図である。
【図８】同実施形態にかかる情報処理装置の動作の詳細を示すフローチャートである。
【図９】従来の表示例を説明する説明図である。
【図１０】従来の表示例を説明する説明図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
また、以下に示す順序に従って、当該「発明を実施するための最良の形態」を説明する。
〔１〕本実施形態の目的
〔２〕情報処理装置のハードウェア構成
〔３〕情報処理装置の機能構成
〔４〕情報処理装置の動作の詳細
【００２０】
〔１〕本実施形態の目的
まず、本実施形態の目的について説明する。表示装置には、液晶ディスプレイなどの表示部の表面に静電容量方式や抵抗膜方式のタッチセンサを設けるタッチスクリーン（タッチパネル）がある。タッチスクリーンによれば、表示画面に触れることで情報処理装置の入力が可能となり、ユーザが容易に情報処理装置を扱うことができるようになる。
【００２１】
タッチパネルを用いて操作を行う場合には、表示画面に接触して表示項目を選択するため、表示されるアイコンやボタンなどを一定のサイズにする必要がある。したがって、タッチパネルにおけるオンスクリーンキーボードなどでは、キーのサイズをできる限り大きくすることが望まれる。しかし、携帯型の装置では表示画面の面積が限られているため、キーのサイズを大きくするとキー以外の情報を表示できなくなるという問題があった。
【００２２】
そこで、表示画面の表示領域を有効利用するために、入力された内容の変換候補の領域を拡大する技術が開示されている。図９に示したように、表示画面には、表示領域を拡大するためのＧＵＩボタン４０２が含まれている。当該技術においては、変換候補の領域を拡大させて変換候補を探したり、選択したりするために必ず専用のＧＵＩボタンを押下しなければならず、操作ステップが増加してしまうという問題があった。
【００２３】
また、キー入力などの操作性や表示内容の視認性を向上させるために、選択された領域の表示内容を一時的に拡大する技術も考案されている。例えば、選択された領域のキー表示などを拡大することにより、操作性を向上させたり、図１０に示したように、選択された表示内容を拡大して視認性を向上させたりしている。しかし、表示されている表示内容を拡大してしまうと、周辺の要素が拡大表示に隠れてしまい、画面の利用効率が低下するという問題があった。
【００２４】
そこで、上記のような事情を一着眼点として、本発明の実施形態にかかる情報処理装置１００が創作されるに至った。本実施形態にかかる情報処理装置１００によれば、タッチパネルの操作性を向上させつつ、画面の利用効率を向上させることが可能となる。例えば、図１に示したように、表示例３０１に表示されているキー表示から、一時的に表示例３０２に表示されている選択項目を表示させる。すなわち、ユーザ操作に応じて、表示画面に表示されている表示内容とは異なる表示内容を含む表示領域が一時的に展開されることとなる。このように、表示領域を一次的に拡大させることにより、タッチパネルの操作性を向上させつつ、画面の利用効率を向上させることが可能となる。
【００２５】
本実施形態では、情報処理装置１００として、図１に示したような小型のオーディオプレイヤーやメディアプレイヤー、ＰＤＡ（ｐｅｒｓｏｎａｌ  ｄｉｇｉｔｌ  ａｓｓｉｓｔａｎｔ）、携帯電話などを例示して説明するが、かかる例に限定されず、パーソナルコンピュータなどに適用することも可能である。また、ディスプレイ等の表示装置と一体の装置として構成したが、かかる例に限定されず、情報処理装置１００と表示装置とを別体の装置として構成するようにしてもよい。
【００２６】
〔２〕情報処理装置のハードウェア構成
以上、本実施形態の目的について説明した。次に、図２を参照して、本実施形態にかかる情報処理装置１００のハードウェア構成について説明する。図２は、情報処理装置１００のハードウェア構成を示すブロック図である。
【００２７】
情報処理装置１００は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、不揮発性メモリ１０３、表示装置１０４、入力装置１０５などを備える。
【００２８】
ＣＰＵ１０１は、演算処理装置および制御装置として機能し、各種プログラムに従って情報処理装置１００内の動作全般を制御する。また、ＣＰＵ１０１は、マイクロプロセッサであってもよい。ＲＡＭ１０２は、ＣＰＵ１０１の実行において使用するプログラムや、その実行において適宜変化するパラメータ等を一次記憶する。不揮発性メモリ１０３は、ＣＰＵ１０１が使用するプログラムや演算パラメータ等を記憶する。これらはＣＰＵバスなどから構成されるホストバス（参照せず）により相互に接続されている。
【００２９】
表示装置１０４は、情報処理装置１００に備わる出力装置の一例である。表示装置１０４は、例えば液晶ディスプレイ（以下、ＬＣＤと称する。）装置などで構成され、情報処理装置１００が行った各種処理により得られた結果を出力する。具体的には、表示装置１０４は、情報処理装置１００が行った各種処理により得られた結果を、テキストまたはイメージで表示する。
【００３０】
入力装置１０５は、例えば、マウス、キーボード、タッチスクリーン、ボタン、マイク、スイッチおよびレバーなどユーザが情報を入力するための入力手段と、ユーザによる入力に基づいて入力信号を生成し、ＣＰＵ１０４に出力する入力制御回路などから構成されている。情報処理装置１００のユーザは、入力装置１０５を操作することにより、情報処理装置１００に対して各種のデータを入力したり処理動作を指示したりすることができる。
【００３１】
本実施形態では、主に、タッチパネルを用いてユーザの指や手などの操作体を検知することで、ユーザの操作を受け付ける。タッチパネルは、表示と入力の２つの機能を備えている。本実施形態にかかるタッチパネルは、ユーザの指や手が近接しているか接触しているかを検知する。また近接を検知した場合には、近接している領域を検知する。検出方法としては、透明電極を構成する金属薄膜を利用した抵抗膜方式、指先と導電膜との間での静電容量の変化を捉えて位置を検出する静電容量方式や、赤外線遮光方式、電磁誘導方式など、ディスプレイにおける操作体の位置情報を検出できる方法であればよい。
【００３２】
ここで、静電式タッチパネルを用いて操作体を検知する場合について具体的に説明する。静電式タッチパネルは、格子状に配置された静電センサを備えており、静電容量の変化によってその値を常時変化させる。静電センサに操作体である指が近付いたり触れたりした場合に、静電センサにより検知される静電容量が増加する。各静電センサの静電容量は同時に取得することが可能である。すべての静電センサの静電容量の変化を同時に検出し、補間することによって近接または接触している指の形を検出することが可能である。静電式タッチパネルは、検出した静電容量の値を、ＣＰＵ１０１へ出力する。
【００３３】
次に、図３および図４を参照して、本実施形態における操作体の近接操作および近接領域について説明する。図３および図４は、操作体の近接操作および近接領域について説明する説明図である。本実施形態では、操作体がタッチパネルに近づき、タッチパネルの静電容量の変化が所定の値の範囲である場合に、操作体の操作を近接操作とする。図３に示したように、静電容量の変化が小→中→大と変化したとする。静電容量の変化が所定の閾値より小さい（静電容量の変化＝小）場合には、操作体は近接も接触もしていないと判断する。また、静電容量の変化が所定の閾値よりも大きい（静電容量の変化＝大）場合には、操作体は接触していると判断する。そして、静電容量の変化が所定の値の範囲である（静電容量の変化＝中）場合には、操作体は近接していると判断する。
【００３４】
また、図４に示したように、操作体が近接している場合に、タッチパネルの静電容量の変化が所定の値よりも大きい領域を近接検知領域３１１とする。以降、近接検知領域３１１を近接面積とも称する。また、近接面積３１１の重心点３１２を算出して、重心点３１２の移動を近接操作時の操作体の移動として検出する。このように、近接面積３１１の重心点３１２の移動を操作体の移動として検出することにより、近接操作時の操作体の移動方向や移動量（移動距離）を検出することが可能となる。
【００３５】
以上、本実施形態にかかる情報処理装置１００のハードウェア構成について説明した。上記の各構成要素は、汎用的な部材を用いて構成されてもよいし、各構成要素の機能に特化したハードウェアにより構成されていてもよい。従って、各実施形態を実施する時々の技術レベルに応じて、適宜、利用するハードウェア構成を変更することが可能である。
【００３６】
〔３〕情報処理装置の機能構成
次に、図５を参照して、本実施形態にかかる情報処理装置１００の機能構成について説明する。図５では、特に、ＣＰＵ１０１における制御について説明する。なお、図５に示した情報処理装置１００の機能構成を説明するに際し、適宜図６〜図１０を参照して説明する。図５は、本実施形態にかかる情報処理装置１００の機能構成を示すブロック図である。なお、表示画面１２２は、上記した表示装置１０４の一例であり、タッチパネル１２０は、上記した入力装置１０５の一例である。
【００３７】
図５に示したように、情報処理装置１００は、検出部１１２、特定部１１４、判断部１１６、表示制御部１１８などを備える。検出部１１２は、操作体の近接面積を検出する機能を有する。上記したように、操作体が表示画面に近づくと、タッチパネル１２０により検出される静電容量が増加する。検出部１１２は、タッチパネル１２０により検出される静電容量が所定の範囲である場合に、操作体が表示画面に近接したことを検出する。検出部１１２は、操作体が近接したことを特定部１１４に通知する。
【００３８】
特定部１１４は、検出部１１２に操作体が近接したことを通知された場合に、操作体が近接した表示画面の範囲を特定する機能を有する。上記したように、タッチパネル１２０により静電容量の変化が検出されるため、特定部１１４は、静電容量が変化した範囲を特定する。特定部１１４は、操作体が近接した表示画面の範囲を判断部１１６に提供する。
【００３９】
判断部１１６は、表示画面に近接した操作体が表示画面に含まれる選択項目に近接したか否かを判断する機能を有する。具体的には、特定部１１４により特定された操作体の近接した範囲に表示画面に含まれる選択項目が含まれるか否かを判断する。判断部１１６は、操作体の近接した範囲に該選択項目が含まれるか否かについての判断結果を表示制御部１１８に提供する。
【００４０】
表示制御部１１８は、操作体が表示画面の選択項目に近接したと判断部１１６により判断された場合に、選択項目の選択項目内容を含む領域を、表示されていた表示領域に一次的に重ねて表示させる。そして、検出部１１２により操作体の表示画面への近接が検出されなくなった場合に、選択項目の選択項目内容を含む領域の表示を終了させる機能を有する。
【００４１】
図１に示したように、表示例３０１では、操作体が表示画面に近接して、オンスクリーンキーボードの上部の選択項目３０２に近づいている。このとき、検出部１１２により操作体の表示画面への近接が検出され、さらに、特定部１１４により操作体が近接した表示画面の範囲が特定される。図１では、特定部１１４により選択項目３０２を含む範囲が特定される。
【００４２】
そして、特定部１１４により特定された範囲に選択項目が含まれるか否かが判断部１１６により判断される。図１では、特定部１１４により特定された範囲に選択項目３０２が含まれているため、表示制御部１１８は、該選択項目３０２の選択項目内容を含む領域を、表示されていた表示領域に一次的に重ねて表示させる。表示例３０３には、選択項目３０２の選択項目内容３０４を含む領域が表示画面に表示されている例を示している。
【００４３】
そして、操作体の表示画面への近接が検出されなくなった場合、すなわち、操作体が表示画面から離れた場合には、表示例３０３に示した選択項目内容を含む領域の表示から、もとの表示例３０１の表示に戻る。このように、本実施形態によれば、操作体が近接した範囲を検出して、該範囲に含まれる選択項目内容を含む領域を一時的に表示させることができる。そして、操作体の近接が検出されなくなると、すぐにもとの表示に戻る。
【００４４】
ユーザは、選択項目内容を表示させるための操作をすることなく、表示画面に操作体を近づけたり遠ざけたりする直感的な操作により該選択項目内容を確認することができるため、タッチパネルの操作性を向上させることができる。また、表示内容を拡大させたり、選択項目内容以外の表示内容を縮小させたりすることなく、一時的に表示領域を拡大させているため、画面面積を有効に利用することが可能となる。
【００４５】
また、表示された選択項目内容から、接触操作によりいずれかの選択項目が選択された場合にも、選択項目内容の表示を終了させてもとのオンスクリーンキーボードの表示に戻るようにしてもよい。例えば、図１に示したように、表示画面が２分割されている場合には、下部の表示画面にオンスクリーンキーボードと選択項目を含む領域が表示され、上部の表示画面には下部の表示画面において選択された内容が表示されている。この場合、下部の表示画面においてオンスクリーンキーボードの表示領域に選択項目内容を含む表示領域が重ねて表示される。そして、該選択項目内容からいずれかの選択項目が選択された場合には、上部の表示画面に選択された選択項目に関連した表示内容が表示される。
【００４６】
このように、重ねて表示された表示領域に含まれる選択項目内容からいずれかの選択項目を選択した後も、戻るボタンを押下する等せずとも、もとの表示画面に戻ることができる。上記では、表示画面を重ねることにより表示領域を拡大しているが、戻るボタンを押下する等の操作ステップを省略してスムーズに画面を遷移させることにより、表示画面自体が拡大したのと同等なインタフェースを提供することが可能となる。
【００４７】
また、図６に示したように、表示画面３２１に含まれる選択項目３２２に操作体が近接したと判断された場合に、選択項目３２２の選択項目内容のプルダウン表示を含む領域をもとの画面に重ねて表示させるようにしてもよい。プルダウン表示とは、図６の表示画面３２３に示したように、選択項目３２２の選択項目内容の一覧が下方に伸びて表示されることをいう。プルダウン表示を含む領域は、操作体が近接したと判断された場合に一時的に表示されるが、操作体が近接しなくなったと判断されるとすぐにプルダウン表示を含む領域が表示されなくなる。また、プルダウン表示の選択項目の何れかの項目が操作体の接触操作により選択された場合にも、プルダウン表示を含む領域が表示されなくなる。
【００４８】
また、図６の表示画面３２３に示したように、ユーザ操作に応じて選択されたリンク先に応じたホームページの表示に重ねて、ＵＲＬの一覧がプルダウン表示されてもよい。例えば、ユーザ操作に応じてプルダウン表示されたＵＲＬの何れかが選択されたとする。この場合、プルダウン表示を非表示とするとともに、重ねられた表示画面３２１に選択されたＵＲＬに対応するページが表示される。このように、操作体による積極的な操作がなされなくても、操作体が選択項目に近接するだけでプルダウン表示を含む領域を一時的に表示させることが可能となる。したがって、ボタンを押下する等の操作ステップを省略してスムーズに画面を遷移させることにより、表示画面自体が拡大したのと同等なインタフェースを提供することが可能となる。
【００４９】
また、図７に示したように、表示画面３４１の選択項目３４２に操作体が近接したと判断された場合に、選択項目３４２に関連する階層の選択項目内容を一時的に表示させるようにしてもよい。例えば表示画面３４１において、あるアルバムに含まれる楽曲の一覧が表示され、選択項目３４２には、アーティストの名前が表示されていたとする。アーティストの名前が表示されている選択項目３４２に操作体が近接すると、該アーティストの曲の一覧の表示画面３４２が一時的に表示される。操作体が表示画面に近接している間は、一次的に表示画面３４２が表示されるが、操作体が表示画面に近接しなくなると表示画面３４２の表示をすぐに終了して、もとの表示画面３４１の表示に戻る。また、一次的に表示画面３４２が表示されている間に、操作体の接触操作により何れかの楽曲が選択された場合にも、表示画面３４２の表示を終了するようにしてもよい。
【００５０】
このように、操作体による積極的な操作がなされなくても、操作体が選択項目に近接するだけで、他の階層を一時的に表示させることが可能となる。すなわち、接触操作により項目を選択するステップを省略してスムーズに画面を遷移させることにより、表示画面自体が拡大したのと同等なインタフェースを提供することが可能となる。
【００５１】
また、操作体が、表示画面の選択項目に近接したと判断された場合に、選択項目の選択項目内容の拡大表示を含む領域を一時的に表示させてもよい。さらに、操作体が表示画面の選択項目に近接したと判断された場合に、選択項目の変換候補を含む領域を一時的に表示させてもよい。このように、操作体が表示画面に近接するだけで、表示画面の表示領域を一時的に拡大させることにより、限られた画面面積を有効に利用して、ユーザにより多くの情報を提供することが可能となる。
【００５２】
〔４〕情報処理装置の動作の詳細
以上、情報処理装置１００の機能構成について説明した。次に、図８を参照して、情報処理装置１００の動作の詳細について説明する、図８は、情報処理装置１００の動作の詳細を示すフローチャートである。図８に示したように、まず、検出部１１２は、操作体が表示画面に近接したか否かを検知する（Ｓ１０２）。ステップＳ１０２では、タッチパネルにより検出される静電容量の変化が一定の範囲以上であるか否かを判定することにより、操作体が表示画面に近接したか否かを検知する。
【００５３】
そして、ステップＳ１０２において、操作体が表示画面の一定範囲内にあり、かつ、一定時間経過したか否かを判定する（Ｓ１０４）。特定部１１４は、ステップＳ１０２において操作体が表示画面に近接していると判定された場合に、操作体が一定の範囲内に一定時間位置しているか否かを判定する。また、ステップＳ１０２において、操作体の近接が検知されなかった場合には、ステップＳ１１２以降の処理を実行する。ステップＳ１１２以降の処理は後で詳細に説明する。
【００５４】
ステップＳ１０４において、操作体が一定の範囲内に一定時間位置していると判定された場合には、変換領域が表示中であるか否かを判定する（Ｓ１０６）。ステップＳ１０６において、変換領域が表示中であるとは、すなわち、上記した選択項目内容を含む領域が表示中であることを意味する。以降、選択項目内容を含む領域を変換領域とも称する。ステップＳ１０４において、操作体が一定の範囲内に一定時間位置していないと判定された場合には、ステップＳ１０２の処理に戻る。
【００５５】
ステップＳ１０６において、表示画面に変換領域を表示中ではないと判定された場合には、操作体が近接している範囲に含まれている選択項目の選択項目内容（変換領域）を一時的に表示する（Ｓ１０８）。ステップＳ１０６において、表示画面に変換領域を表示中であると判定された場合には、ステップＳ１０２の処理に戻る。
【００５６】
そして、ステップＳ１０８において一時的に変換領域が表示された後に、操作体の近接が検知されなくなったか否かを判定する（Ｓ１１０）。ステップＳ１１０において、操作体の近接が検知されなくなったと判定された場合には、表示画面に一時的に表示された変換領域を非表示とする（Ｓ１１８）。ステップＳ１１０において、操作体の近接が検知されている場合には、ステップＳ１０２の処理に戻る。
【００５７】
ステップＳ１０２に戻り、操作体の近接が検知されなかった場合には、操作体の接触を検知したか否かを判定する（Ｓ１１２）。そして、操作体が接触している表示画面の領域が、変換領域内か否かを判定する（Ｓ１１４）。ステップＳ１１２において、操作体の接触が検知されなかった場合には、ステップＳ１０２の処理に戻る。
【００５８】
ステップＳ１１４において、操作体が接触している表示画面の領域が、変換領域内であると判定された場合には、該変換領域対象に対する操作を認識して実行する（Ｓ１１６）。ステップＳ１１４において、操作体が接触している表示画面の領域が、変換領域内ではないと判定された場合には、ステップＳ１０２の処理に戻る。
【００５９】
ステップＳ１１６における変換領域対象に対する操作とは、例えば、変換領域に表示されている選択項目の何れかを接触操作により選択する操作が挙げられる。ステップＳ１１６において、変換領域対象に対する操作が実行された後、表示されている変換領域を非表示とする（Ｓ１１８）。
【００６０】
上記したように、本実施形態では、操作体の近接操作に応じて変換領域が一時的に表示された後、操作体の近接操作が検知されなくなったり、変換領域対象に対する接触操作が行われたりすると、変換領域を非表示とする。このように、操作体が表示画面に近接するだけで、ボタンを押下する等の操作ステップを省略して、表示画面に表示しきれない表示領域を一時的に表示させることにより、表示画面自体が拡大したのと同等なインタフェースを提供することが可能となる。
【００６１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６２】
例えば、本明細書の情報処理装置１００の処理における各ステップは、必ずしもフローチャートとして記載された順序に沿って時系列に処理する必要はない。すなわち、情報処理装置１００の処理における各ステップは、異なる処理であっても並列的に実行されてもよい。
【００６３】
また、情報処理装置１００などに内蔵されるＣＰＵ、ＲＯＭおよびＲＡＭなどのハードウェアを、上述した情報処理装置１００の各構成と同等の機能を発揮させるためのコンピュータプログラムも作成可能である。また、該コンピュータプログラムを記憶させた記憶媒体も提供される。
【符号の説明】
【００６４】
１１２    検出部
１１４    特定部
１１６    判断部
１１８    表示制御部
１２０    タッチパネル
１２２    表示画面
【図１】
2011134272.tif 000003
【図２】
2011134272.tif 000004
【図３】
2011134272.tif 000005
【図４】
2011134272.tif 000006
【図５】
2011134272.tif 000007
【図６】
2011134272.tif 000008
【図７】
2011134272.tif 000009
【図８】
2011134272.tif 000010
【図９】
2011134272.tif 000011
【図１０】
2011134272.tif 000012